(57)【要約】【課題】周回可能な小時計部を持つ世界時計の腕時計を提供すること。【解決手段】小文字板４と２４時間針８が配置された世界時計に関して、りゅうず１０の操作によって小文字板駆動機構２７、３１を介して小文字板車３２をキャリア２９と逆方向に回転させることで、小文字板４を一定角度に保ちながらキャリア駆動機構２２、２３、２４、２５を介して小時計部の位置を変えることができる。さらに、キャリアに固着された都市表示部２ａを時計外周に記載された都市名に対応する位置に停止させることで、都市表示部２ａが指示した都市の時刻を、２４時間車駆動機構１７、１８、１９、２０、４０を介して２４時間針８で示すことができる。【選択図】図８ａ
2014044071.tif 000002
【特許請求の範囲】
【請求項１】
回転文字板（２）と、該回転文字板（２）とは別個の回転可能な小文字板（４）と、
前記回転文字板（２）と固着されて、かつ回転可能に構成されたキャリア（２９）と、
該キャリア（２９）を駆動するキャリア駆動機構（１６−２５）と、
前記キャリア（２９）に載置され、前記小文字板（４）を駆動する小文字板駆動車（３２）と、
前記キャリア（２９）の回転動作を伝達して、前記小文字板駆動車（３２）を、
前記キャリア（２９）とは逆の方向に、かつ前記キャリア（２９）と同じ回転角だけ回転させる小文字板駆動機構（２７−３１）と、
を有する時計。
【請求項２】
前記小文字板（４）上で情報を表示する表示部材（８）と、
前記表示部材（８）を駆動する表示部材車（３６）と、を有し、
該表示部材車（３６）は、前記キャリア（２９）と、前記キャリア（２９）に固定される押さえ部材（３４）の間に保持され、前記キャリア（２９）とともに回転する
ことを特徴とする請求項１に記載の時計。
【請求項３】
該表示部材車（３６）を駆動する表示部材車駆動機構（１７−４０）を有し、
該表示部材車駆動機構（１７−４０）は、前記キャリア（２９）の回転角と同じ回転角を前記キャリア（２９）と同方向に駆動することを特徴とする請求項２に記載の時計。
【請求項４】
外部操作部材(１０、３７)を有し、
前記キャリア駆動機構（１６−２５）と前記表示部材車駆動機構（１７−４０）は、
前記外部操作部材(１０、３７)によって、同時に駆動される
ことを特徴とする請求項３に記載の時計。
【請求項５】
前記キャリア（２９）と前記表示部材車（３６）の被駆動時に、
その回転角を一定量とする規制部材(３４ａ、３９、３３)を有する
ことを特徴とする請求項４に記載の時計。
【請求項６】
前記表示部材（８）で２４時間制の時間を表示し、
前記キャリア（２９）の駆動は１５／ｎ度（ｎ：１，２，４）ずつ行われ、
前記表示部材（８）の駆動は１／ｎ時間ずつ行われる
ことを特徴とする請求項５に記載の時計。
【請求項７】
前記回転文字板（２）の外周に時差帯を示す指標が複数配置され、
前記キャリア（２９）の駆動により、前記小文字板（４）が前記各指標に対応する位置に停止することを特徴とする請求項６に記載の時計。
【請求項８】
前記回転文字板（２）に前記指標を指示する指示部材（２ａ）を有する
ことを特徴とする請求項７に記載の時計。
【発明の詳細な説明】
【技術分野】
【０００１】
本発明は、文字板を回転させることで新たな表現を可能とする腕時計に関する。
【背景技術】
【０００２】
アナログ表示の時計においても、単に時刻や日付のみを表示するだけでなく、他の機能を表示可能な時計は多数提案されている。その中には、機能表現に各種工夫を凝らしてものも見受けられる。
【０００３】
そのような時計の１つとして、時刻を表示する小時計が、周回もしくは直線的に移動することで大よその時間や日時を示し、小時計で正確な時分秒を表示する置き時計が特許文献１，２に開示されている。
【０００４】
特に、特許文献１では、小時計が１２時間で１周し、小時計自体の位置と小時計の時針の位置を略一致させることでデュアルタイム時計として使用可能な置時計が開示されている。
【先行技術文献】
【特許文献】
【０００５】
【特許文献１】実公平７−１０３１７号公報（第３、４図）
【特許文献２】実公昭４０−１９９１２号公報（第１図）
【発明の概要】
【発明が解決しようとする課題】
【０００６】
特許文献１に記載の技術は、小時計の付く回転板を周回させる駆動系は台座に設置され、また、小時計が常に１２時位置が真上を向くようにするため、小時計の下部に錘を設置しているなど、置時計での使用を前提とした技術となっている。
【０００７】
しかし、腕時計の場合、その構造上、上記駆動系は外装内に組み込まれる時計用ムーブメントに配置せざるを得ない。また、腕時計の場合、着用時には姿勢が変化するため、重力のかかる方向も変化する。そのため、腕時計に特許文献１の技術をそのまま適用することは出来ない。
【０００８】
本発明は、上記問題を解決し、腕時計においても同様の表現を可能とする技術を提供するものである。
【課題を解決するための手段】
【０００９】
上記課題を解決するために、本発明の時計は、
回転文字板と、該回転文字板とは別個の回転可能な小文字板と、
前記回転文字板と固着されて、かつ回転可能に構成されたキャリアと、
該キャリアを駆動するキャリア駆動機構と、
前記キャリアに載置され、前記小文字板を駆動する小文字板駆動車と、
前記キャリアの回転動作を伝達して、前記小文字板駆動車を、前記キャリアとは逆の方向に、かつ前記キャリアと同じ回転角だけ回転させる小文字板駆動機構と、
を有することを特徴とする。
【発明の効果】
【００１０】
本発明によれば、りゅうずなどの外部操作部材の操作により、文字板上面の小時計が時
差帯を示す位置に移動するとともに、小時計の指針が時差を反映した時刻を表示することが可能となる。これにより、新しい表現の世界時計が、腕時計において実現できる。
【００１１】
また、小時計を、時計の姿勢に関係なく一定方向に向かせることが可能であり、小時計の読み取りを容易にすることが可能となる。
【図面の簡単な説明】
【００１２】
【図１ａ】本発明の実施形態に係る腕時計の平面図であって、２４時間針がロンドンの時刻を示すときの平面図である。
【図１ｂ】本発明の実施形態に係る腕時計の平面図であって、２４時間針がドバイの時刻を示すときの平面図である。
【図２】本発明の実施形態に係る腕時計の表示機構を示す分解斜視図である。
【図３】本発明の実施形態に係る腕時計の表示機構を示すブロック図である。
【図４】本発明の実施形態に係る腕時計のキャリアを回転させる構造を示す断面図である        。
【図５】本発明の実施形態に係る腕時計の小文字板車を回転させる構造を示す断面図である。
【図６】本発明の実施形態に係る腕時計の２４時間車を回転させる構造の一部を示す断面図である。
【図７】本発明の実施形態に係る腕時計の２４時間車を回転させる構造の一部を示す断面図である。
【図８ａ】本発明の実施形態に係る腕時計の表示機構を示す、キャリアが位置決めされているときの平面図であって、キャリアと小文字板車を回転させる構造を示す平面図である。
【図８ｂ】本発明の実施形態に係る腕時計の表示機構を示す、キャリアが位置決めされているときの平面図であって、２４時間車を回転させる構造を示す平面図である。
【図９ａ】本発明の実施形態に係る腕時計の表示機構を示す、キャリアを図８の状態から時計回りに７．５度回転させたときの平面図であって、キャリアと小文字板車を回転させる構造を示す平面図である。
【図９ｂ】本発明の実施形態に係る腕時計の表示機構を示す、キャリアを図８の状態から時計回りに７．５度回転させたときの平面図であって、２４時間車を回転させる構造を示す平面図である。
【図１０ａ】本発明の実施形態に係る腕時計の表示機構を示す、キャリアを図８の状態から時計回りに１５度回転させたときの平面図であって、キャリアと小文字板車を回転させる構造を示す平面図である。
【図１０ｂ】本発明の実施形態に係る腕時計の表示機構を示す、キャリアを図８の状態から時計回りに１５度回転させたときの平面図であって、２４時間車を回転させる構造を示す平面図である。
【発明を実施するための形態】
【００１３】
以下、本発明の実施形態について図面に基づき詳細に説明する。
【００１４】
本発明の実施形態に係る腕時計は、時分秒の時刻表示のほかに、２４時間計と、各都市名が印字された回転可能なレジスターリングとを有する。
【００１５】
なお、本発明の実施形態で示す表示機能は、一例である。小文字板で示す表示内容やレジスターリングの配置箇所等は任意である。
【００１６】
［時計仕様］
図１ａは、本発明の実施形態に係る腕時計１００を示す平面図である。
１は腕時計１００の外装である胴、２は胴１内に配置され、後述のりゅうず１０の操作により回転される回転文字板、３は回転文字板２の周囲に配置される固定文字板、４は回転文字板２上に配置され、回転文字板２の回転と共に周回する２４時間計の表示を行う小文字板、５，６，７はそれぞれ時針、分針、秒針、８は２４時間針である。  ２ａは、回転文字板２に固定されている都市指示部である。
１０は、胴１の３時側の側面に配置され、ユーザーが時刻修正や本発明に係る操作等を行うためのりゅうず、９はレジスターリング、１１は９時側の側面に配置され、レジスターリング９を操作するためのりゅうず（２）である。レジスターリング９には１時間毎の時差を代表する都市名が印字されており、９時側の側面に配置されたりゅうず（２）１１によって回転可能に胴１内で保持されている。
【００１７】
レジスターリング９に印字された都市のうち、本実施形態では１２時位置に位置する都市をホームタイム都市とし、時針５、分針６、秒針７はこの時差帯の時刻を示している。さらに、りゅうず（２）１１を回転させることで、レジスターリング９が回転し、ホームタイム都市の切替を行うことができる。ホームタイム都市の位置をわかりやすくするために、固定文字板３や後述する風防等にホームタイム都市を示す目印を付与してもよい。また、２４時間針８は、回転文字板２に設けられた都市指示部２ａが示す都市の時差帯の時刻を示している。なお、ホームタイム都市を示す位置は一例であり、１２時位置以外に設けても構わない。
【００１８】
図１ａでは、時針５、分針６、秒針７はホームタイム都市であるロンドンの時差帯の時刻を示し、２４時間針８も都市指示部２ａが示すロンドンの時差帯の時刻を示している。一方、図１ｂでは、時針５、分針６、秒針７は図１ａ同様ホームタイム都市であるロンドンの時差帯の時刻を示しているが、２４時間針８は都市指示部２ａが示すドバイの時差帯の時刻を示している。
【００１９】
図１よりわかるように、時針５、分針６、秒針７は小文字板４や２４時間針８と重なる場合がある。従って、特に時針５と分針６は光透過性の部材で構成するか、外周のみを残し残部が抜かれた形態にするなど、各指針の下に配置された部材が視認可能な構造をとることがより好ましい。
【００２０】
腕時計１００では、回転文字板２を覆うようにガラス等の透明材料により形成された不図示の風防が胴１に取り付けられている。また、風防の反対側においては不図示の裏蓋が胴１に取り付けられている。本明細書では以降、腕時計１００の風防が配置される方向（図１における紙面手前方向）を上面側、裏蓋が配置される方向（図１における紙面奥方向）を下面側と呼ぶ。
【００２１】
本実施例では、りゅうず１０の回転操作により回転文字板２が時差単位で回転し、それに伴い小文字板４も都市指示部２ａが示す都市名（時差帯）近辺に移動する。さらに、２４時間針８の指示する時間も時差分変化する。これにより、各都市（時差帯）のおおよその時間が直感的に認識可能な腕時計となっている。
【００２２】
また、小文字板４が移動しても、小文字板４の２４時を示す時字が腕時計１００の１２時方向を向くように構成されている。これは、回転文字板２がある角度θ回転した場合、小文字板４はθ分逆方向に回転することで実現している。これにより、小文字板４の時間の読み取りを容易にしている。
なお、上記仕様を実現する具体的構成については、以下に詳細に説明を行う。
【００２３】
［時計構造］
次に、図２〜図７を用いて、本発明の実施形態に係る腕時計１００の表示機構について
説明する。
【００２４】
図２は、本発明の実施形態に係る腕時計１００の表示機構を示す分解斜視図であり、図３は、本発明の実施形態に係る腕時計１００の表示機構を示すブロック図である。
【００２５】
［構造の概念的説明］
まず、本実施例の構造の概念的説明を図３のブロック図を用いて行う。りゅうず１０が固着された巻真３７の回転操作がつづみ車３８、小鉄車１６を介して伝えられる。小鉄車１６から先は、文字板２，４を駆動する系と、２４時間針８を駆動する系に分岐する。
【００２６】
文字板２，４の駆動系では、巻真３７の回転操作により、都市修正中間車（１）〜（４）２２〜２５を介し、回転文字板２が固着されたキャリア２９を回転させる。これにより、回転文字板２が回転し、小文字板４が移動する。
【００２７】
さらに、キャリア２９の回転が小文字板中間車（１）（２）２７，３１を介し小文字板４が固着された小文字板車３２に伝えられ、小文字板４が回転文字板２とは逆方向に回転させられる。これにより、小文字板４の２４時方向は、腕時計１００の１２時方向と一致する。
【００２８】
２４時間針８の駆動系では、巻真３７の回転操作により、２４時間修正中間車（１）〜（５）１７〜２０，４０を介し、２４時間針８が固着される２４時間車３６を駆動する。これにより、２４時間針８の時差修正が可能となる。
【００２９】
なお、２４時間針８は、時針５（筒車１５）と同じ駆動源（不図示のモータ、及び輪列）により歩進を行う構成となっており、２４時間中間車３５に伝えられる。
【００３０】
［具体的構造の説明］
次に、図２〜７を用いて具体的構造の説明を行う。なお、その動作把握のため、適宜図３のブロック図と上記説明を参照されたい。
【００３１】
１２は、胴１に収容された地板であり、腕時計１００の各種機構を支持している。
地板１２の中央部には、四番車１３、中心車１４と筒車１５が支持され、それぞれ秒針７、分針６と時針５が固着される。さらに、地板１２の上面側には、２４時間修正中間車（１）１７と２４時間修正中間車（２）１８が配置され、地板１２と下受２１との間でそれぞれ回転可能に保持される。また、地板１２の上面側には不図示の切替レバーが配置され、該切替レバーの上面側には、小鉄車１６が配置されており、該切替レバーと押さえ板２６との間で回転可能に保持される。
【００３２】
ここで、前記切替レバーは、りゅうず１０が固着された巻真３７が１段引かれたときに、小鉄車１６が２４時間修正中間車（１）１７と都市修正中間車（１）２２に噛み合うように移動する構造になっており、りゅうず１０が０段もしくは２段の位置にあるときには、小鉄車１６は２４時間修正中間車（１）１７と都市修正中間車（１）２２に噛み合うことはない構造となっている。
【００３３】
また、２４時間修正中間車（１）１７を回転させることで、図３で示す複数の輪列を介し２４時間針８が固着された２４時間車３６を回転させることができる。同様に、都市修正中間車（１）２２を回転させることで、図３で示す複数の輪列を介しキャリア２９と小文字板車３２を回転させることができ、それぞれ回転文字板２と小文字板４が固着される。回転文字板２の固定方法は一例であり、その他の方法を用いても構わない。
【００３４】
続いて、断面図も併用して文字板２，４の駆動系の説明を行う。
【００３５】
図４は、キャリア２９を回転させる構造を示した断面図であり、図５は小文字板車３２を回転させる構造を示した断面図である。
【００３６】
下受２１の上面側には、都市修正中間車（１）２２、都市修正中間車（２）２３と都市修正中間車（３）２４が配置され、下受２１と押さえ板２６との間でそれぞれ回転可能に保持される。また、都市修正中間車（４）２５と小文字板中間車（１）２７と２４時間ブロック１０１は、下受２１と２４時間ブロック押さえ２８との間でそれぞれ回転可能に保持される。２４時間ブロック押さえ２８の上面側には文字板３が配置される。
【００３７】
ここで、２４時間ブロック１０１は、外周に歯形を持つキャリア２９を土台とし、後述する複数の部品を小文字板車押さえ３０と２４時間車押さえ３４とで挟持することで構成される。キャリア２９の上面側には、小文字板中間車（２）３１、小文字板車３２と小文字板ジャンパー３３が配置され、キャリア２９と小文字板車押さえ３０との間で回転可能に保持される。また、キャリア２９の下面側には、２４時間中間車３５、２４時間車３６と２４時間修正中間車（５）４０が配置され、キャリア２９と２４時間車押さえ３４との間で回転可能に保持される。
【００３８】
次に、断面図も併用して２４時間針８の駆動系の説明を行う。
図６、図７は、２４時間車３６を回転させる構造を示した断面図である。
地板１２の上面側には、２４時間修正中間車（１）１７と２４時間修正中間車（２）１８が配置され、地板１２と下受２１との間でそれぞれ回転可能に保持される。また、２４時間修正中間歯車（３）１９ａ、１９ｂはそれぞれ下受２１の上下面側に配置され、２４時間修正中間車軸１９ｃで嵌合固定されることで、下受２１に対して回転可能に保持される。下受２１の上面側には、２４時間修正中間車（４）２０が配置され、下受２１と２４時間ブロック押さえ２８との間で回転可能に保持される。
【００３９】
上述したように、りゅうず１０を１段引きの状態で回転させることで、図３で示す複数の輪列を介して、回転文字板２が固着されたキャリア２９、小文字板４が固着された小文字板車３２と２４時間針８が固着された２４時間車３６とを回転させる。
【００４０】
［文字板２，４駆動系の平面図での説明］
次に、図８ａ、図９ａと図１０ａを参照して、キャリア２９と小文字板車３２を回転させる構造について説明する。りゅうず１０を１段引きの状態で回転させると、巻真３７とつづみ車３８を介し、小鉄車１６に回転が伝達する。ここで、小鉄車１６は、都市修正中間車（１）２２と２４時間修正中間車（１）１７と噛み合っている。小鉄車１６の回転は、都市修正中間車（１）２２、都市修正中間車（２）２３、都市修正中間車（３）２４、都市修正中間車（４）２５によって減速して伝達され、キャリア２９を回転させる。また、キャリア２９の回転は、小文字板中間車（１）２７と小文字板中間車（２）３１を介して、小文字板車３２に伝達する。
【００４１】
さらに、キャリア２９とねじ締結された２４時間輪列押さえ３４の外周には２４個の山型が設けられ、キャリア２９は、キャリアジャンパー３９が山型部を側圧することで、１５度回転するごとに位置決めされる。キャリア２９を１５度回転するごとに位置決めすることで、キャリア２９に固定された回転文字板２の外周部に設けられた都市指示部２ａが、レジスターリング９に印字された２４個の都市のいずれかを指し示すことを可能にしている。
【００４２】
図９ａ、図１０ａは、図８ａの状態からそれぞれキャリアを時計回りに７．５度、１５
度回転させた状態である。キャリア２９が時計回りに回転すると、図８ａの２４時間輪列押さえ２８の山型３４ａ部は、キャリアジャンパー３９に側圧されながら図９ａで示す山型３４ａの位置へ移動して、キャリアジャンパー３９の頂点を乗り越えると図１０ａで示す山型３４ａの位置へ移動する。このように動作させることで、キャリア２９の回転を１５度ずつ位置決めさせている。
【００４３】
また、本発明では、２４時間針８が示す時刻を読み取りやすくするため、図１ａ、１ｂで示すように、小文字板４の中心がいかなる位置にあっても、小文字板４の２４時方向は、腕時計１００の１２時方向に向くようにしている。
【００４４】
次に、キャリア２９から小文字板車３２までの減速比について説明する。キャリア２９の歯数をＺ29、小文字板中間車（１）２７の歯車とかなの歯数をそれぞれＺ27W、Ｚ27P、小文字板中間車（２）３１の外周側と内周側の歯数をそれぞれＺ31O、Ｚ31I、小文字板車３２の歯数をＺ32とする。キャリア２９が１回転したとき、小文字板車３２の回転数は０となり、小文字板中間車（１）２７と小文字板中間車（２）３１の回転数をそれぞれＮ27、Ｎ31とする。
【００４５】
キャリア２９から小文字板車３２の輪列は作動歯車装置で構成しているため、その減速比は式（１）のように表すことができる。
【００４６】
［式（１）］
2014044071.tif 000003
【００４７】
また、キャリア２９が１回転したときの小文字板中間車（２）３１の回転数Ｎ31は、式（２）のように表すことができる。
【００４８】
［式（２）］
2014044071.tif 000004
【００４９】
式（１）、（２）が成り立つように、キャリア２９、小文字板中間車（１）２７、小文字板中間車（２）３１、小文字板車３２のそれぞれの歯数Ｚ29、Ｚ27W、Ｚ27P、Ｚ31O、Ｚ31I、Ｚ32を決定する。
【００５０】
このような減速比に設定すれば、小文字板４の２４時方向は、小文字板車３２の中心がいかなる位置にあっても、腕時計１００の１２時方向を向かせることができる。
【００５１】
また、小文字板車３２は、キャリア２９から小文字板車３２間の輪列のバックラッシによって、回転方向に一定のがたを持つ。小文字板４の回転方向のがたを防止するため、小文字板ジャンパー３３で小文字板車３２の歯形を側圧している。キャリア２９が１５度回転するごとに位置決めされたときに、小文字板４の２４時方向を腕時計１００の１２時方
向に向かせるためには、小文字板車３２の歯数Ｚ32を２４の整数倍に設定することが適している。
【００５２】
以上の構造により、りゅうず１０を１段引きの状態で回転させることで、小文字板４の２４時方向を腕時計１００の１２時方向に向けたまま、回転文字板２を１５度おきに位置決めしながら回転させることができる。
【００５３】
［２４時間針８駆動系の平面図での説明］
次に、図８ｂ、図９ｂと図１０ｂを参照して、２４時間車３６を回転させる構造について説明する。腕時計１００の運針は、不図示の香箱車やローターなどの駆動源が、複数の輪列を介し、時針５を固着する筒車１７を回転させる。さらに、筒車１７は２４時間中間車３５を介し、２４時間車３６を回転させる。２４時間車３６の２４時間かな３６ａは２４時間修正中間車（５）４０と噛み合っており、駆動源からの回転は、２４時間修正中間車（４）２０、２４時間修正中間車（３）１９、２４時間修正中間車（２）１８、２４時間修正中間車（１）１７へと伝達する。ここで、不図示の駆動源からの回転は、２４時間車３６を介し、２４時間修正中間車（１）１７まで伝達されるが、通常運針中、すなわちりゅうず１０が０段位置にある場合には、前述の通り小鉄車１６は２４時間修正中間車（１）１７と都市修正中間車（１）２２と噛み合わない。よって、通常運針中に、図示しない駆動源からの回転が２４時間車３６から小鉄車１６を介し、都市修正中間車（１）２２へと伝達し、キャリア２９を回転させることはない。
【００５４】
また、りゅうず１０を１段引きの状態で回転させると、巻真３７とつづみ車３８を介し、小鉄車１６に回転が伝達する。ここで、小鉄車１６は、都市修正中間車（１）２２と２４時間修正中間車（１）１７と噛み合う。小鉄車１６の回転は、２４時間修正中間車（１）１７、２４時間修正中間車（２）１８、２４時間修正中間車（３）１９、２４時間修正中間車（４）２０、２４時間修正中間車（５）４０によって減速して伝達され、２４時間車３６を回転させる。ここで、２４時間歯車３６ｂの回転は筒車１５へと伝達されるが、中心車１４のスリップトルクあるいは不図示のローターの保持トルクなどによって、筒車は回転しないように保持トルクを有している。よって、２４時間かな３６ａと２４時間歯車３６ｂを回転可能に圧入嵌合することで、腕時計１００の中心に配置された時針５、分針６、秒針７が示している時刻を変えずに、２４時間針８のみ回転可能にしている。
【００５５】
ここで、りゅうず１０を１段引きの状態で回転させたときに、キャリア２９と２４時間修正中間車（５）４０が同じ回転速度で回転するように、２４時間修正輪列と都市修正輪列の減速比を決定すれば、キャリア２９を１回転させたときに、２４時間かな３６ａも１回転させることができる。よって、時針５、分針６、秒針７とは独立して、２４時間針８は１時間ごとの計２４個の時差帯を表示することができる。
【００５６】
以上の構造により、図１ａのように、時針５、分針６、秒針７はホームタイム都市であるロンドンの時差帯の時刻を示し、２４時間針８も都市指示部２ａが示すロンドンの時差帯の時刻を示している腕時計１００が、りゅうず１０を１段引き回転させることで、都市指示部２ａを任意の都市を示す位置に移動させると、時針５、分針６、秒針７はホームタイム都市の時刻を示したまま、２４時間針８は都市指示部２ａが示す都市の時差帯の時刻を示すことができる。
【００５７】
なお、本発明の実施形態では、ホームタイム都市を切替えた場合には、りゅうず１０を２段引きの状態で回転させる周知の方法で、時針５、分針６、秒針７の修正を行う。ただし、修正方法は一例であり、その他の方法でも構わない。
【００５８】
［変形例］
（１）以上の実施例では、時差を１時間単位とし、回転文字板２が送られる角度単位を１５度としたが、時差を１／２時間（３０分）、角度単位を７．５度としても良い。さらに細かく、時差を１／４時間（１５分）、角度単位を３．７５度としても良い。
【００５９】
いずれを選択するかは、時計仕様や部品の加工精度等を考慮し、決定すれば良い。
【００６０】
（２）小文字板４上で２４時間表示を行うのに、本実施例では２４時間針８としたが、円板等を用いて表示しても良い。
【００６１】
（３）時計の種類として、電子時計の他、機械式時計であっても良く、その駆動エネルギー源は特に限定されない。電子時計の場合でも、１次電池の他、発電源を備えた充電系電源であっても良い。回転文字板２と固定文字板３の少なくとも一方を光透過性部材で構成すれば、ソーラー時計での実現も可能である。
【００６２】
（４）小文字板４上面の小時計が示す情報は、２４時間表示に限らず、１２時間表示としても良い。
【００６３】
（５）本実施例では、小文字板４は回転文字板２の上面に配置される構造としたが、これには限定されない。回転文字板２に穴を開け、その穴に小文字板４を配置してもよい。その場合、小文字板４を回転文字板２と同一平面に配置でき、薄型化が可能となる。
【００６４】
（６）本実施例では、小文字板４の１２時位置が常に上を向く構成としたが、これには限定されない。デザインや仕様により、任意の時間（１時など）が常に上を向く構成としても良い。
【００６５】
（７）本実施例は、「小文字板４の位置が変わっても、その向きが変化しない」発明の特徴を生かせる世界時計として説明したが、これには限定されない。例えば、小文字板４の１２時位置に「Ｎ」、６時位置に「Ｓ」と表記し、２４時間針８を小磁石針とすれば、コンパスの位置を任意に変更可能な、新しい表現の方位計付時計とすることも可能であり、幅広い機能への応用が期待される。
【００６６】
（８）２４時間針８（２４時間車３６）の歩進は、時針５（筒車１５）と同じ駆動源としたが、異なる駆動源としても良い。電子時計の場合、周知の方法により時針５、分針６、秒針７、キャリア２９がどの位置を表示しているのかマイコン内部で判断することができる。時針５、分針６、秒針７の位置によらず、２４時間針８を任意の位置へ回転させることができるため、時差を代表する都市名を固定文字板３や不図示の風防等に印字することができる。なお、ホーム都市設定は一定の操作により秒針８で指し示すようにすれば良いが、これに限らない。このようにすることで、りゅうず（２）１１やレジスターリング９が不要になり、コストダウンを図ることができる。
【００６７】
（９）本実施例は、りゅうず１０を１段引きの状態で回転させることで、ユーザーが２４時間針８の中心位置を動かせる構成としたが、ユーザーが動かすことのできない構成としても良い。ムーブメントを組み立てる際に、キャリア駆動機構（２２−２５、２７，３１）の少なくとも１つを組み込まないことで、りゅうず１０を１段引きの状態で回転させても、２４時間針８の中心位置を動かすことができないように構成することができる。
このようにすることで、１つのムーブメントで２４時間針８の中心位置を変えた複数種類の時計を提供することができる。
【符号の説明】
【００６８】
１  胴、２  回転文字板、２ａ  都市指示部、３  固定文字板、４  小文字板、５  時
針、６  分針、７  秒針、８  ２４時間針、９  レジスターリング、１０  りゅうず、
１１  りゅうず（２）、１２  地板、１３  四番車、１４  中心車、１５  筒車、１６  小鉄車、１７  ２４時間修正中間車（１）、１８  ２４時間修正中間車（２）、
１９  ２４時間修正中間車（３）、２０  ２４時間修正中間車（４）、２１  下受、
２２  都市修正中間車（１）、２３  都市修正中間車（２）、２４  都市修正中間車（３）、２５  都市修正中間車（４）、２６  押さえ板、２７  小文字板中間車（１）、
２８  ２４時間ブロック押さえ、２９  キャリア、３０  小文字板車押さえ、
３１  小文字板中間車（２）、３２  小文字板車、３３  小文字板ジャンパー、
３４  ２４時間輪列押さえ、３４ａ  山型、３５  ２４時間中間車、
３６  ２４時間車、３６ａ  ２４時間かな、３６ｂ  ２４時間歯車、３７  巻真、
３８  つづみ車、３９  キャリアジャンパー、
４０  ２４時間修正中間車（５）
１００  腕時計、１０１  ２４時間ブロック
【図１ａ】
2014044071.tif 000005
【図１ｂ】
2014044071.tif 000006
【図２】
2014044071.tif 000007
【図３】
2014044071.tif 000008
【図４】
2014044071.tif 000009
【図５】
2014044071.tif 000010
【図６】
2014044071.tif 000011
【図７】
2014044071.tif 000012
【図８ａ】
2014044071.tif 000013
【図８ｂ】
2014044071.tif 000014
【図９ａ】
2014044071.tif 000015
【図９ｂ】
2014044071.tif 000016
【図１０ａ】
2014044071.tif 000017
【図１０ｂ】
2014044071.tif 000018